(57)【要約】      （修正有）【課題】バッグ本体を防護し、仮に充填物がバッグ内に漏れても外部露出しにくく、バッグ吊り上げ時のバッグ上面の膨れを抑制でき、胴部からの吊り部の外れや破袋を防止できるフレキシブルコンテナバッグおよびそれへの充填物の充填方法を提供する。【解決手段】角型のバッグ本体１４と、これの胴部１２の上端に接合する投入部１５と、その投入口１６を封止する投入口封止手段１７と、胴部１２の各コーナー部分に、隣接する２枚の側面シート１１の端部を跨いで接合された８点支持、４本吊り部方式の吊りベルト１９と、バッグ本体１４を覆う外袋２０と、外袋２０の開口を塞ぐ外蓋シート２１と、外袋２０を封止する外袋封止手段２２とを備え、外蓋シート２１の各コーナー部分には、吊り部１８が挿通され、かつ外袋封止時に、胴部１２のコーナー部分に配された吊り点Ｐ１，Ｐ２間を結ぶ直線ａの長さ方向へ延びる４本のベルト通し用スリットＳを配設した。【選択図】図２
2018058634.tif 000002
【特許請求の範囲】
【請求項１】
４枚の側面シートを接合し、かつ上端が開口した角筒状の胴部と、該胴部の下端の開口を塞ぐ矩形状の底面シートとを有する角型のバッグ本体と、
前記胴部の上端に接合され、充填物を前記胴部に投入するための投入部と、
該投入部の上端に有する前記充填物の投入口を開閉自在に封止する投入口封止手段と、
前記胴部の各コーナー部分に、隣接する２枚の前記側面シートの端部を跨いだ状態でそれぞれ上方に向かうように接合され、かつ前記バッグ本体を吊り上げる８点支持、４本吊り部方式の吊りベルトと、
上端が開口し、かつ前記バッグ本体を覆った状態で該バッグ本体に接合される角型の外袋と、
前記投入口を封止して折り畳んだ状態の投入部の上から、前記外袋の開口を塞ぐ前記外袋に設けられた矩形状の外蓋シートと、
該外蓋シートにより前記外袋の開口を開閉自在に封止する外袋封止手段とを備えたフレキシブルコンテナバッグであって、
前記外蓋シートの各コーナー部分には、対応する吊り部が挿通され、かつ前記外蓋シートによる前記外袋の開口の封止時に、前記胴部の対応するコーナー部分に配された吊り点間を結ぶ直線の長さ方向へ延びる４本のベルト通し用スリットが配設されたフレキシブルコンテナバッグ。
【請求項２】
前記投入口封止手段は、前記投入部の投入口を塞ぐ第１の線ファスナで、
前記外袋封止手段は、前記外蓋シートを前記外袋の開口に掛止する第２の線ファスナである請求項１に記載のフレキシブルコンテナバッグ。
【請求項３】
前記投入口を封止して折り畳んだ状態の投入部の上に配置され、かつ外周部の上面に一方の面ファスナが固定された矩形状のトップシートを有し、
前記外袋の上端の各辺には、対応する一方の面ファスナに掛止される他方の面ファスナが内面に固定された４枚のフラップシートが接合されている請求項１または請求項２に記載のフレキシブルコンテナバッグ。
【請求項４】
前記トップシートの中央部には、平坦な天板が着脱自在に取り付けられた請求項３に記載のフレキシブルコンテナバッグ。
【請求項５】
前記胴部の内面には、充填された前記充填物による前記胴部の変形を防止する環状の保形ベルトが、各コーナー部分を除く前記胴部の周方向の全域にわたって接合された請求項１〜請求項４のうち、何れか１項に記載のフレキシブルコンテナバッグ。
【請求項６】
前記バッグ本体を構成する４枚の側面シートと底面シートとは、表裏２枚のシート間に発泡合成樹脂シートが挟持された構造のものである請求項１〜請求項５のうち、何れか１項に記載のフレキシブルコンテナバッグ。
【請求項７】
請求項１のフレキシブルコンテナバッグに前記充填物を充填するフレキシブルコンテナバッグへの充填物充填方法であって、
前記外袋を保持する矩形状の型枠に前記外袋を収納し、その後、前記型枠に被せるように前記投入部を裏返して前記バッグ本体の開口を広げ、
次に、広げた該開口から前記バッグ本体の内部空間に前記充填物を充填してその表面をならし、
次いで、裏返った前記投入部を元に戻した後、前記投入口を前記投入口封止手段によって封止してから前記投入部を折り畳み、
その後、前記外袋の開口に前記外蓋シートを配置して、前記各吊り部を対応するベルト通し用スリットに挿通し、
次に、前記外袋封止手段を利用し、前記外袋の開口を前記外蓋シートにより封止するフレキシブルコンテナバッグへの充填物充填方法。
【請求項８】
前記請求項１のフレキシブルコンテナバッグは、請求項２に記載された前記第１の線ファスナおよび前記第２の線ファスナと、請求項３に記載された前記一方の面ファスナを有するトップシートおよび前記他方の面ファスナを有する４枚のフラップシートとを具備したもので、
前記投入口を前記投入口封止手段により封止する際には、前記第１の線ファスナを用いて前記投入口を封止し、
この封止後、折り畳まれた前記投入部の上に前記トップシートを載置し、
次いで、前記各フラップシートを内折りして、対応する前記一方の面ファスナと前記他方の面ファスナとをそれぞれ重ね合わせることにより、前記各フラップシートに前記トップシートを掛止し、
その後、前記各吊り部を、対応するベルト通し用スリットにそれぞれ通した状態で、前記第２の線ファスナを利用して前記外袋の開口を前記外蓋シートにより封止する請求項７に記載のフレキシブルコンテナバッグへの充填物充填方法。
【発明の詳細な説明】
【技術分野】
【０００１】
本発明は、例えば、災害で発生した可燃物・不燃物を保管、運搬する際に好適なフレキシブルコンテナバッグおよびそれへの充填物の充填方法に関する。
【背景技術】
【０００２】
２０１１年３月１１日の東日本大震災を原因とした災害復旧に伴い、土壌や瓦礫等の可燃物・不燃物の処理を実施している。具体的には、重機（ユンボ）により土壌や瓦礫等をフレキシブルコンテナバッグ（以下、フレコンバッグ）に充填後、所定の保管場所へ輸送し、そこで処理の順番を待つため、長期間保管される。
さらに、日本フレキシブルコンテナ工業会では、環境省からの依頼を受けて、除染用の容器として新たに「除染関係ガイドラインに沿ったフレキシブルコンテナ標準仕様（ＪＩＳ  Ｚ  １６５１：２００８「非危険物用フレキシブルコンテナ」）」を作成し、今日ではその基準を満足する耐候性能を有したフレコンバッグが開発されている。この基準とは、汚染土壌の収集、仮保管場所への運搬、３年間の仮保管後に中間貯蔵施設などへの搬送が可能な性能である。
【０００３】
従来のフレコンバッグとして、例えば、特許文献１に記載された角型のものが知られている。これは、投入部付きの角筒状の胴部の下端が正方形の底面シート（底部）により塞がれたバッグ本体と、胴部の開口する上端に連通された角筒状の投入部と、胴部の各コーナー部分の隣接する２枚の側面シートの端部間にアーチ状に突設された８点支持、４本吊り部方式の吊りベルトとを備えたものである。角型とすれば、複数のフレコンバッグを隙間なく敷き詰めて積み重ねることができ、保管空間を有効利用できる。
フレコンバッグの材料は、例えば、ポリオレフィン系樹脂からなるフラットヤーンにより織られた布（原反）が一般的である。この織布を所定形状の部品シートに複数裁断し、隣接する部品シート同士を縫着してフレコンバッグを作製している。
【先行技術文献】
【特許文献】
【０００４】
【特許文献１】特開２０１５−１５１１２９号公報
【発明の開示】
【発明が解決しようとする課題】
【０００５】
しかしながら、従来の角型のフレコンバッグにあっては、その胴部の各コーナー部分の隣接する２枚の側面シートの端部間に、４本の吊り部がアーチ状に突設されていた。そのため、重機によりフレコンバッグを吊り上げた時、胴部と吊り部との縫着部に大きな荷重が作用する。その結果、繰り返し使用等で吊り部がその荷重に耐えられず、胴部との縫着部分から外れたり、破袋して災害で発生した不燃物・可燃物が露出するおそれがあった。
また、フレコンバッグは各部品シートが撓みやすい織布からなるため、角型に製袋しても、災害で発生した不燃物・可燃物を充填すれば内圧が作用して外方向に広がろうとする。その結果、胴部が膨らみ、外観が丸型に変形していた。しかも、重機でのバッグ吊り上げ時、殊に１点吊りでは、胴部の各コーナー部分に連結された４本の吊り部がバッグ中央部へ引き寄せられる。これに伴って充填物はバッグ中央部へ移動し、胴部だけでなくフレコンバッグの上面、具体的には紐で縛った投入部の上面も膨らんでいた。その結果、バッグの段積み時の安定性が低下し、安全確保の観点から積み上げの段数を減らす必要が生じ、上述した保管空間の効率的な利用ができなくなっていた。また、バッグ上面が膨らむことで投入部を縛っていた紐がゆるみ、投入口から災害で発生した不燃物・可燃物が零れるおそれもあった。
【０００６】
そこで、発明者は鋭意研究の結果、バッグ本体を外袋により被覆し、バッグ本体を収納した状態で外袋を外蓋シートによって覆うように構成すれば、周辺環境の物体との衝突等を原因としたバッグ本体の破損を防止し、仮に何らかの原因でバッグ本体が破れたり、投入部の紐が解けた場合であっても、災害で発生した不燃物・可燃物を外袋内に留めて、それの外部への露出を防止できることを知見した。
しかも、外蓋シートの各コーナー部分にベルト通し用スリットを形成し、これらに対応する吊り部を通すように構成すれば、フレコンバッグの見掛け上の吊り位置がバッグの中央部へ移動し、吊り部の吊り角度と張力との関係を示す張力係数が小さくなる。これにより、バッグ吊り上げ時、各吊り部のバッグ中央部への引き寄せを原因とした充填物のバッグ中央部への移動に伴なうバッグ上面の膨れが抑えられるとともに、従来は吊り部の胴部との縫着部に集中していたフレコンバッグの荷重を分散できることも知見した。
【０００７】
さらには、各ベルト通し用スリットの長さ方向を、胴部の対応するコーナー部分に配された吊り点間を結ぶ（仮想の）直線の長さ方向に揃えれば、バッグ吊り上げ時、そのスリットが対応する直線に揃っていない場合に比べて、アーチ状の吊り部の（左右）一対の基端部分（縫着部に近い部分）の押し当てにより生じるスリットの過剰な広がりを抑制することができる。これにより、バッグ吊り上げ時のベルト通し用スリットの裂けや伸びといった破損を防止できるとともに、仮に災害で発生した不燃物・可燃物が外袋の中に零れた場合でも、その災害で発生した不燃物・可燃物がベルト通し用スリットからバッグの外へ零れ落ちるおそれは少なくなることを知見し、本発明を完成させた。
【０００８】
本発明は、これらの問題点に鑑みなされたもので、バッグ本体を外袋により防護し、仮に外袋内に充填物が零れた場合でも充填物が外部露出したり、零れることを防止でき、またバッグ吊り上げ時において、充填物のバッグ中央部への移動に伴なったバッグの上面の膨れを抑制できるとともに、吊り部の吊り位置に作用する荷重を分散して吊り部の胴部からの外れや破袋を防止することができるフレキシブルコンテナバッグおよびそれへの充填物の充填方法を提供することを目的とするものである。
【課題を解決するための手段】
【０００９】
請求項１に記載の発明は、４枚の側面シートを接合し、かつ上端が開口した角筒状の胴部と、該胴部の下端の開口を塞ぐ矩形状の底面シートとを有する角型のバッグ本体と、前記胴部の上端に接合され、充填物を前記胴部に投入するための投入部と、該投入部の上端に有する前記充填物の投入口を開閉自在に封止する投入口封止手段と、前記胴部の各コーナー部分に、隣接する２枚の前記側面シートの端部を跨いだ状態でそれぞれ上方に向かうように接合され、かつ前記バッグ本体を吊り上げる８点支持、４本吊り部方式の吊りベルトと、上端が開口し、かつ前記バッグ本体を覆った状態で該バッグ本体に接合される角型の外袋と、前記投入口を封止して折り畳んだ状態の投入部の上から、前記外袋の開口を塞ぐ前記外袋に設けられた矩形状の外蓋シートと、該外蓋シートにより前記外袋の開口を開閉自在に封止する外袋封止手段とを備えたフレキシブルコンテナバッグであって、前記外蓋シートの各コーナー部分には、対応する吊り部が挿通され、かつ前記外蓋シートによる前記外袋の開口の封止時に、前記胴部の対応するコーナー部分に配された吊り点間を結ぶ直線の長さ方向へ延びる４本のベルト通し用スリットが配設されたフレキシブルコンテナバッグである。
【００１０】
フレキシブルコンテナバッグ（フレコンバッグ）の各部品シートは、例えば、ポリプロピレンなどの各種の化学繊維からなる織布(原反)を所定形状の各部品シートに裁断し、隣接する部品シート同士を接合（例えば、縫着、融着など）して作製されたものなどを採用することができる。各部品シートの内面には、各種の合成樹脂フィルム、各種の金属箔などをラミネート加工してもよい。
フレキシブルコンテナバッグの用途は限定されないものの、屋外作業用、特に災害で発生した不燃物・可燃物（土壌や瓦礫等）の輸送、保管用として好適である。充填物の種類は任意である。例えば、各種の工業製品の原料、各種の金属、各種の穀物、各種の堆肥、各種の土、各種の廃棄物などでもよい。
バッグ本体としては、充填物（特に災害で発生した不燃物・可燃物）が漏出しないように、縦糸および横糸が密な織布を使用してバッグ本体を縫製した一般的なものを採用することができる。その他、糸密度を低くして水きり機能を付与したバッグ本体を採用してもよい。
バッグ本体の外観形状としては、例えば、平面視して正方形または長方形の角型を採用することができる。
フレキシブルコンテナバッグは内袋付きのものでもよい。内袋としては、例えばポリエチレンなどの合成樹脂製の袋を採用することができる。内袋は、二重または三重以上に重ねたものでもよい。
【００１１】
投入部としては、織布を筒状に縫製したもの、または、各種の合成樹脂シートを筒状に加工したものなどを採用することができる。
投入口封止手段としては、例えば、投入部（襠部）の開口縁部に設けられた線ファスナ（レールファスナを含む）を採用することができる。その他、面ファスナ、投入口封止用の蓋シートを有したもの、投入部の絞り込みが可能なように締結紐が装着された巾着式のもの、一般的な投入部であって、別体の紐やベルトを使用して投入部の開口部分を縛るようにしたものなどでもよい。
【００１２】
ここでいう「（吊り部が）隣接する２枚の側面シートの端部を跨いだ状態でそれぞれ上方に向かうように接合された」とは、胴部の対応するコーナー部分において、一方の側面シートの上端部に吊り部の一方の基端部が接合（縫着）され、他方の側面シートの上端部に吊り部の他方の基端部が接合された状態をいう。これにより、吊り部は胴部のコーナー部分の外縁にアーチ状に突設されることとなる。
吊りベルトとしては、例えば、各種の化学繊維からなる厚地の織布を裁断したものを採用することができる。
吊りベルトの使用本数は、８点支持、４本吊り部の条件を満たせば限定されない。例えば１本でもよいし、２本または４本でもよい。ただし、１本の場合には、長尺なベルトをバッグ本体の胴部と底面シートとの各外面に、ちょうど四葉のクローバーを一筆書きするように引きまわして接合（縫合）する必要がある。
【００１３】
外袋としては、例えば、各種の化学繊維からなる厚地の織布から４枚の側面シートと１枚の底面シートとを裁断し、これらの外袋用の部品シートのうち、近接するもの同士を縫着したものなどを採用することができる。
この外袋は、例えば所定箇所を縫着することでバッグ本体と一体化されている。
外蓋シートとしては、例えば、外袋と同一の織布から裁断により得られたものを採用することができる。
外蓋シートの形状およびサイズは、外袋の底面シートと同じである。また外蓋シートは、例えば、外袋の上端開口の一辺部に、対応する一辺部を突き合わせ状態で接合（縫着）されている。
外袋封止手段の種類は限定されない。例えば、線ファスナ（レールファスナを含む）、面ファスナなどでもよい。その他、これらに比べて封止性は劣るものの、ロープ、ホックなどでもよい。
【００１４】
各ベルト通し用スリットは、外蓋シートの各コーナー部分に形成されている。
ここでいう「胴部の対応するコーナー部分に配された吊り点間を結ぶ直線の長さ方向」とは、外袋封止手段を利用して外袋の開口を外蓋シートにより封止した状態を前提とし、胴部の各コーナー部分において、一方の側面シートの上端部のうち、アーチ状の吊り部の一方の基端部（下端部）との接合位置（接合点）と、他方の側面シートの上端部のうち、吊り部の他方の基端部との接合位置とを結んだ“仮想の直線”の長さ方向をいう。なお、ベルト状の吊り部は幅があるため、ここでの“吊り点”は吊り部の幅の中間点（中間位置）とする。
各ベルト通し用スリットは、その長さ方向と、対応する“仮想の直線”の長さ方向とを揃えた状態で、この直線の真上か、胴部の対応するコーナー部分の範囲内で、その直線と平行に離反した所定の位置に配されている。
外蓋シートの各ベルト通し用スリットの形成部は、補強シートにより補強してもよい。
各ベルト通し用スリットの長さは任意である。
【００１５】
請求項２に記載の発明は、前記投入口封止手段は、前記投入部の投入口を塞ぐ第１の線ファスナで、前記外袋封止手段は、前記外蓋シートを前記外袋の開口に掛止する第２の線ファスナである請求項１に記載のフレキシブルコンテナバッグである。
【００１６】
第１の線ファスナおよび第２の線ファスナとしては、例えば、一方の長辺部にエレメント（務歯）を並べた一対のテープと、両テープ間を移動することにより、一方のテープのエレメントと他方のテープエレメントとを掛止または掛止解除するスライダとを有したものなどを採用することができる。その他、スライダを省略し、雄型のエレメントと雌型のエレメントのみを有するものでもよい。
【００１７】
請求項３に記載の発明は、前記投入口を封止して折り畳んだ状態の投入部の上に配置され、かつ外周部の上面に一方の面ファスナが固定された矩形状のトップシートを有し、前記外袋の上端の各辺には、対応する一方の面ファスナに掛止される他方の面ファスナが内面に固定された４枚のフラップシートが接合されている請求項１または請求項２に記載のフレキシブルコンテナバッグである。
【００１８】
投入部の折り畳み方は任意である。
一方の面ファスナおよび他方の面ファスナは、何れを雄型または雌型としてもよい。その他、両方の面ファスナを雄雌兼用のものとしてもよい。
トップシートおよびフラップシートの素材としては、例えば、外袋の素材と同一のものを採用することができる。
トップシートのサイズは、外蓋シートと同一かそれより小判である。
フラップシートのサイズは、一方の面ファスナと他方の面ファスナとを掛止可能であれば任意である。
【００１９】
請求項４に記載の発明は、前記トップシートの中央部には、平坦な天板が着脱自在に取り付けられた請求項３に記載のフレキシブルコンテナバッグである。
【００２０】
天板の素材としては、例えば、各種の金属、各種のプラスチック、各種の木などを採用することができる。
天板の形状としては、例えば矩形、円形、楕円形などを採用することができる。
天板のサイズは任意である。
天板をトップシートの中央部に着脱自在に取り付ける構造は任意である。例えば、トップシートの中央部を二重構造としてポケットを設け、その中に天板を収納してもよい。その他、面ファスナによる掛止などでもよい。
【００２１】
請求項５に記載の発明は、前記胴部の内面には、充填された前記充填物による前記胴部の変形を防止する環状の保形ベルトが、各コーナー部分を除く前記胴部の周方向の全域にわたって接合された請求項１〜請求項４のうち、何れか１項に記載のフレキシブルコンテナバッグである。
【００２２】
保形ベルトの素材は任意である。例えば、外袋の素材と同一のものを採用してもよい。
保形ベルトとしては、例えば、胴部への接合状態で、平面視して八角形となる無端ベルトを採用することができる。
保形ベルトの幅は任意である。例えば、胴部の高さの１０％〜８０％、好ましくは２０％〜５０％の幅である。この幅が胴部の高さの２０％を超えれば、胴部の各コーナー部分に作用する充填物の内圧を低減するための隔壁として、保形ベルトが好適に機能する。
【００２３】
請求項６に記載の発明は、前記バッグ本体を構成する４枚の側面シートと底面シートとは、表裏２枚のシート間に発泡合成樹脂シートが挟持された構造のものである請求項１〜請求項５のうち、何れか１項に記載のフレキシブルコンテナバッグである。
【００２４】
表シートと裏シートとの素材は任意である。例えば、各種の化学繊維からなる厚地の織布から得られたものでもよい。
発泡合成樹脂シートとしては、例えば、発泡ポリウレタンフォーム、発泡ポリエチレンフォームなどを採用することができる。
発泡合成樹脂シートの厚さは、３〜７ｍｍである。３ｍｍ未満では発泡合成樹脂シートが薄過ぎて、バッグ本体の十分な防護機能が得られない。また、７ｍｍを超えれば、バッグ本体が厚過ぎてフレキシブルコンテナバッグの取り扱いがしにくくなり、かつコスト高となる。
【００２５】
請求項７に記載の発明は、請求項１のフレキシブルコンテナバッグに前記充填物を充填するフレキシブルコンテナバッグへの充填物充填方法であって、前記外袋を保持する矩形状の型枠に前記外袋を収納し、その後、前記型枠に被せるように前記投入部を裏返して前記バッグ本体の開口を広げ、次に、広げた該開口から前記バッグ本体の内部空間に前記充填物を充填してその表面をならし、次いで、裏返った前記投入部を元に戻した後、前記投入口を前記投入口封止手段によって封止してから前記投入部を折り畳み、その後、前記外袋の開口に前記外蓋シートを配置して、前記各吊り部を対応するベルト通し用スリットに挿通し、次に、前記外袋封止手段を利用し、前記外袋の開口を前記外蓋シートにより封止するフレキシブルコンテナバッグへの充填物充填方法である。
【００２６】
型枠の素材としては、例えば、各種の金属、各種のプラスチック、各種の木、各種のセラミックスなどを採用することができる。
型枠としては、外袋の胴部と略同一サイズ、同一形状のものを採用することができる。
【００２７】
請求項８に記載の発明は、前記請求項１のフレキシブルコンテナバッグは、請求項２に記載された前記第１の線ファスナおよび前記第２の線ファスナと、請求項３に記載された前記一方の面ファスナを有するトップシートおよび前記他方の面ファスナを有する４枚のフラップシートとを具備したもので、前記投入口を前記投入口封止手段により封止する際には、前記第１の線ファスナを用いて前記投入口を封止し、この封止後、折り畳まれた前記投入部の上に前記トップシートを載置し、次いで、前記各フラップシートを内折りして、対応する前記一方の面ファスナと前記他方の面ファスナとをそれぞれ重ね合わせることにより、前記各フラップシートに前記トップシートを掛止し、その後、前記各吊り部を、対応するベルト通し用スリットにそれぞれ通した状態で、前記第２の線ファスナを利用して前記外袋の開口を前記外蓋シートにより封止する請求項７に記載のフレキシブルコンテナバッグへの充填物充填方法である。
【発明の効果】
【００２８】
請求項１に記載の発明によれば、バッグ本体を外袋により被覆し、かつ投入部を外蓋シートにより塞ぐように構成したため、周辺環境の物体との衝突等を原因としたバッグ本体の破損を防止することができる。しかも、仮にバッグ本体が破損したり、投入口封止手段による投入口の封止状態が一部解除された場合でも、バッグ本体から零れた充填物は外袋の中に留まるため、充填物の外部への露出を妨げることができる。
また、外蓋シートの各コーナー部分にベルト通し用スリットを形成し、各ベルト通し用スリットに、対応する吊り部を通すように構成したため、フレキシブルコンテナバッグの見掛け上の吊り位置がバッグの中央部へ移動する。これにより、バッグ吊り上げ時（特に１点吊り時）に各吊り部の吊り角度が小さくなり、その結果、吊り部の吊り角度と張力との関係を示す張力係数が小さくなって、各吊り部の張力が低下する。よって、バッグの吊り上げ時、各吊り部がバッグ中央部へ引き寄せられる力は弱まる。そのため、バッグ本体に充填された充填物は、従来に比べてバッグ中央部へ移動する量が減り、フレコンバッグの上面の膨出が抑えられる。
しかも、このように各ベルト通し用スリットに各吊り部を通すように構成したため、従来は吊り部の両基端部が胴部に接合される箇所に集中していたフレキシブルコンテナバッグの荷重が、各吊り部の基端部が接触した外蓋シートのコーナー部の一部分、および、ベルト通し用スリットの形成部分に分散する。その結果、吊り部の胴部からの外れや破袋を防止することができる。
【００２９】
さらには、各ベルト通し用スリットの長さ方向を、胴部の対応するコーナー部分に配された吊り点間を結ぶ（仮想の）直線の長さ方向に揃えるように構成したため、バッグ吊り上げ時、そのスリットが対応する直線に揃っていない場合に比べて、吊り部の（左右）一対の基端部分（縫着部に近い部分）の押し当てにより生じるスリットの過剰な広がりを抑制することができる。これにより、バッグ吊り上げ時のベルト通し用スリットの裂けや伸びといった破損を防止できるとともに、仮に充填物が外袋の中に零れた場合でも、その充填物がベルト通し用スリットからバッグの外へ零れ落ちるおそれは少ない。
【００３０】
請求項２に記載の発明によれば、投入口封止手段として、投入部の投入口を塞ぐ第１の線ファスナを採用し、また外袋封止手段として、外蓋シートを外袋の開口に掛止する第２の線ファスナを採用したため、投入部の投入口と外袋の開口とを、簡単かつ確実に封止または封止解除することができる。
【００３１】
請求項３に記載の発明によれば、外袋の内蓋となるトップシートは、投入口を封止して折り畳まれた投入部の上に載置される。その後、トップシートの外周部の上に外袋の内折りされた各フラップシートを重ね合わせる。これにより、トップシートの一方の面ファスナと各フラップシートの他方の面ファスナとが掛止されることで、トップシートによりバッグ本体を外袋の内部空間にしっかりと封入することができる。
【００３２】
請求項４に記載の発明によれば、平坦な天板をトップシートの中央部に着脱自在に取り付けることで、バッグ吊り上げ時、充填物がフレキシブルコンテナバッグの中央部へ強制移動させられて発生するバッグの上面の膨らみをさらに抑えることができる。
【００３３】
請求項５に記載の発明によれば、胴部の内面には、各コーナー部分を除く胴部の周方向の全域にわたって環状の保形ベルトを接合したため、保形ベルトが胴部の内張りとなって、投入部から投入された充填物による胴部の変形を抑えることができる。
また、保形ベルトは各コーナー部分の内面に接合されていないため、各コーナー部分において、充填物の内圧を低減する隔壁として機能する。
【００３４】
請求項６に記載の発明によれば、バッグ本体を構成する各側面シートと底面シートとを、表裏２枚のシート間に発泡合成樹脂シートが挟持されたものとしたため、外袋によるバッグ本体の防護性を高めることができる。
【００３５】
請求項７に記載の発明によれば、外袋を保持する矩形状の型枠に外袋を収納し、その後、型枠に被せるように投入部を裏返してバッグ本体の開口を広げる。次に、広げた開口からバッグ本体の内部空間に充填物を充填してその表面をならし、その後、この裏返った投入部を元に戻してから、投入口を投入口封止手段によって封止して投入部を折り畳む。次いで、外袋の開口に外蓋シートを配置して、各吊り部を対応するベルト通し用スリットに挿通し、その後、外袋封止手段を利用して、外袋の開口を外蓋シートにより封止する。
これにより、バッグ本体を外袋により防護し、仮に外袋内に充填物が零れた場合でも充填物が外部露出したり、零れることを防止することができる。また、バッグ吊り上げ時に、充填物のバッグ中央部への移動に伴なうバッグの上面の膨れを抑制することができるとともに、吊り部の吊り位置に作用する荷重を分散し、吊り部の胴部からの外れや破袋を防止することができる。
【００３６】
請求項８に記載の発明によれば、投入口を投入口封止手段により封止する際には、第１の線ファスナを用いて投入口を封止し、この封止後、折り畳まれた投入部の上にトップシートを載置し、次いで、各フラップシートを内折りして、対応する一方の面ファスナと他方の面ファスナとをそれぞれ重ね合わせる。これにより、各フラップシートにトップシートを掛止し、その後、各吊り部を、対応するベルト通し用スリットにそれぞれ通した状態で、第２の線ファスナを利用して外袋の開口を外蓋シートにより封止することができる。
【図面の簡単な説明】
【００３７】
【図１】本発明の実施例１に係るフレキシブルコンテナバッグの全体斜視図である。
【図２】本発明の実施例１に係るフレキシブルコンテナバッグの分解斜視図である。
【図３】本発明の実施例１に係るフレキシブルコンテナバッグの一部を構成するバッグ本体の分解斜視図である。
【図４】本発明の実施例１に係るフレキシブルコンテナバッグの一部を構成する別態様のバッグ本体の要部拡大縦断面図である。
【図５】本発明の実施例１に係るフレキシブルコンテナバッグの一部を構成する吊りベルトの展開図である。
【図６】本発明の実施例１に係るフレキシブルコンテナバッグへの充填物の充填方法を示すフローチャートである。
【図７】本発明の実施例１に係るフレキシブルコンテナバッグへの充填物の充填方法において、外袋の開口をトップシートにより塞ぐ直前の状態を示す斜視図である。
【図８】本発明の実施例１に係るフレキシブルコンテナバッグへの充填物の充填方法において、外袋の開口をトップシートにより塞いだ直後の状態を示す斜視図である。
【図９】本発明の実施例１に係るフレキシブルコンテナバッグへの充填物の充填方法において、充填物を充填して組み立てが完了したフレキシブルコンテナバッグの斜視図である。
【発明を実施するための形態】
【００３８】
以下、本発明の実施例を、図面を参照して具体的に説明する。ここでは、災害で発生した可燃物・不燃物を輸送、保管するフレキシブルコンテナバッグを例とする。
【実施例】
【００３９】
図１および図２において、１０は本発明の実施例１に係るフレキシブルコンテナバッグ（以下、フレコンバッグ）である。このフレコンバッグ１０は、４枚の側布（側面シート）１１の突き合わせ側の端部を縫着（接合）し、かつ上端が開口した角筒状の胴部１２と、胴部１２の下端の開口を塞ぐ正方形の底布（底面シート）１３とを有する角型のバッグ本体１４と、胴部１２の上端に縫着され、災害で発生した不燃物・可燃物（充填物）を胴部１２に投入するための投入部１５と、投入部１５の上端に有する災害で発生した不燃物・可燃物の投入口１６を開閉自在に封止する第１の線ファスナ（投入口封止手段）１７と、胴部１２の各コーナー部分に、隣接する２枚の側布１１の端部を跨いだ状態でそれぞれ上方に向かうように縫着され、かつバッグ本体１４を吊り上げる８点支持、４本吊り部方式の吊りベルト１９と、上端が開口し、かつバッグ本体１４を覆った状態でバッグ本体１４に縫着される角型の外袋２０と、投入口１６を封止して折り畳んだ状態の投入部１５の上から、外袋２０の開口を塞ぐこの外袋２０に設けられた正方形の外蓋布（外蓋シート）２１と、外蓋布２１により外袋２０の開口を開閉自在に封止する第２の線ファスナ（外袋封止手段）２２と、投入口１６を封止して折り畳んだ状態の投入部１５の上に配置され、かつ外周部の上面に雌型面ファスナ（一方の面ファスナ）２３が縫着されたトップシート２４とを備えたものである（図７）。フレコンバッグ１０は、内容量１．１２５ｍ３のものである。
【００４０】
以下、図１〜図５を参照して、これらの構成体を具体的に説明する。
図２に示すように、胴部１２を構成する各側布１１は、１，５００ｄｅのポリプロピレン繊維からなり、かつ裏面(内面)に図示しない止水用の樹脂フィルムがラミネートされた織布を所定形状に裁断し、かつ適宜縫製することで作製された縦１，５００ｍｍ、横（高さ）５００ｍｍの矩形布である。なお、実際の胴部１２は、長さ６，０００ｍｍ、幅５００ｍｍの長尺な織布を裁断し、その長さ方向の端を縫着することで得られる。この胴部１２の下辺（一方の長辺）を、底布１３の４つの辺に適宜縫着することで、バッグ本体１４が得られる（後述する裏地胴部１２Ａも同じ）。
底布１３は、側布１１と同一素材からなる縦横１，５００ｍｍの正方形の布である。
【００４１】
胴部１２の内面には、角筒状の裏地胴部１２Ａが縫着されている（図３参照）。これにより、胴部１２は二重布構造となり補強される。この裏地胴部１２Ａは、胴部１２の側布１１と同一素材、同一サイズの４枚の側布１１Ａを適宜縫製して得られた縦６，０００ｍｍ、横（高さ）５００ｍｍの矩形布である。
裏地胴部１２Ａの高さ方向の中間部の内面には、充填された災害で発生した不燃物・可燃物による胴部１２（裏地胴部１２Ａを含む）の変形を防止する環状の保形ベルト２８が、各コーナー部分を除く裏地胴部１２Ａの周方向の全域にわたって縫着されている。詳しくは、各側布１１Ａの長さ方向の中間部分（長さ６００ｍｍ）のみに、保形ベルト２８の一部分が縫着されている。
【００４２】
保形ベルト２８は、ポリプロピレン短繊維から作製された幅１００ｍｍ、長さ約４，９５０ｍｍの厚布からなり、かつ平面視して八角形に配される１本の無端ベルトである。
なお、胴部１２の各側布（表シート）１１と、裏地胴部１２Ａの対応する側布（裏シート）１１Ａとの間には、厚さ３ｍｍの発泡ポリウレタンシート（発泡合成樹脂シート）２７を挟むように構成してもよい（図４参照）。同様に、底布（表シート）１３の上面にも、発泡ポリウレタンシート２７と、底布１３と同一素材、同一サイズの裏布（裏シート）２６とを、順次、積層して３層構造としてもよい。こうすることで、バッグ本体１４にクッション性が発現し、バッグ本体１４の防護性を高めることができる。
【００４３】
投入部１５は、胴部１２と同一素材からなり、かつ下端の開口部分が胴部１２の上端の開口部分に縫着された、上方へ向かって徐々に先細りした略円筒布である。投入部１５の上端の投入口１６の直径は１，０００ｍｍ、投入部１５の高さ(長さ)は１，０００ｍｍである。
投入口１６には、前記第１の線ファスナ１７が周設されている。この第１の線ファスナ１７は、投入口１６の周方向の半分の領域で、線状に固定された細長い断面凹形の凹条エレメント(図示せず)と、投入口１６の残りの半分の領域に線状に固定され、かつ凹条エレメントに対応した細長い断面凸形の凸条エレメント(図示せず)とを有したものである。投入口１６の封止時には、この投入口１６を半折して、凹条エレメントと凸条エレメントとを掛合する。
なお、バッグ本体１４の内部空間には、投入部１５の高さとバッグ本体１４の高さとを合わせた長さを有する図示しない内袋を収納してもよい。内袋は、例えばポリエチレン製である。
【００４４】
吊りベルト１９は、ポリプロピレン短繊維から作製された長さ１９，６００ｍｍ、幅１００ｍｍの厚布からなる１本の無端ベルトである。吊りベルト１９は、４枚の側布１１の長さ方向の両端部および底布１３の外周部の外面に、ちょうど四葉のクローバーを一筆書きするように引き回して縫着されている（図５参照）。この吊りベルト１９の具体的な縫着域は、底布１３の各辺部との対峙部分と、４枚の側布１１の各長辺部との対峙部分とである。これにより、胴部１２の各コーナー部分の上縁には、吊りベルト１９のうち、胴部１２の上縁から上方へ延びる４つの吊り部１８がアーチ状に突設されている。各吊り部１８の長さは１，３００ｍｍである。
このとき、胴部１２の各コーナー部分において、吊り部１８の左右一対の基端部が縫着される２つの吊り点（支持点）Ｐ１，Ｐ２の位置は、平面視して、該当するコーナー部の頂点Ａから４００ｍｍずつ離間した、隣り合う２枚の側布１１の上縁の位置である。なお、吊りベルト１９からなる吊り部１８は１００ｍｍの幅がある。そのため、ここでの“吊り点Ｐ１，Ｐ２”は、吊り部１８の幅の中間点（中間位置、一方の端から５０ｍｍの位置）とする。
【００４５】
外袋２０は、胴部１２と同一素材からなり、かつバッグ本体１４の側布１１と同一サイズ、同一形状の４枚の側布２９と、胴部１２と同一素材からなり、かつバッグ本体１４の底布１３と同一サイズ、同一形状の底布３０とを縫着して、角型の袋状としたものである。
外袋２０の底布３０の内面には、この底布３０と略同一サイズ、同一形状の厚肉な補強用不織布３１が縫着されている。補強用不織布３１は、ポリエステル繊維を短絡して作製された厚肉な布材である。
外袋２０の内側には、ポリエチレン製の図示しないインナーが展着されている。また、外袋２０とバッグ本体１４とは、複数箇所が縫着されることで一体化している。
外蓋布２１は、胴部１２と同一素材からなり、かつ外袋２０の底布３０と同一サイズ、同一形状のものである。この外蓋布２１は、その基端側の辺部が、外袋２０の１つの側布２９の上縁部に縫着されている。
外蓋布２１の各コーナー部分には、対応する吊り部１８が挿通され、かつ外蓋布２１による外袋２０の開口の封止時に、胴部１２の対応するコーナー部分に配された吊り点Ｐ１，Ｐ２間を結ぶ直線ａの長さ方向へ延びる４本のベルト通し用スリットＳが配設されている。
【００４６】
外袋２０の上端の各辺には、４枚のフラップ布（フラップシート）３２の基端側の辺部が縫着されている。
各フラップ布３２は、胴部１２と同一素材からなり、かつ長さ１，５００ｍ、高さ(幅)４００ｍの矩形状のものである。
これらのフラップ布３２の内面の略全域には、長尺な幅２００ｍｍの雄型面ファスナ（他方の面ファスナ）３３が、上下２段で縫着されている。さらに、４枚のフラップ布３２のうち、向かい合う一対のフラップ布３２のみには、その長さ方向の両端部の表面に、小判な矩形状の雌型面ファスナ３４が縫着されている。
【００４７】
第２の線ファスナ２２は、対峙する長尺側の辺部に多数のエレメント（務歯）を所定ピッチで並べた２本のテープ２２ａ，２２ｂと、両テープ２２ａ，２２ｂ間を移動し、かつ一方のテープ２２ａのエレメントと、他方のテープ２２ｂのエレメントとを掛止または掛止解除するスライダ２２ｃとを有している。このうち、一方のテープ２２ａは外袋２０の開口部に周設され、他方のテープ２２ｂは外蓋布２１の外周縁に周設されている。また、スライダ２２ｃは、通常時、他方のテープ２２ｂのエレメントのみに装着されているものの、外袋２０の閉蓋時には、一方のテープ２２ａのエレメントにも掛止されるように構成されている。
【００４８】
トップシート２４は、胴部１２と同一素材からなり、かつ外蓋布２１と同一サイズ、同一形状の厚肉な布材である。その外周部の上面（表面）には、幅４００ｍｍの矩形枠状の雌型面ファスナ２３が縫着されている。なお、トップシート２４は、必ずしも使用しなくてもよい。
また、トップシート２４の中央部の裏面には、胴部１２と同一素材からなり、かつ縦横１，１００ｍｍの矩形状のポケット３５が設けられている。ポケット３５の開口部は、図示しない面ファスナにより開閉自在となっている。
ポケット３５には、縦横１，０００ｍｍの保形用の天板３６が出し入れ自在に挿入されている。
天板３６の素材は、剛性が高い厚さ５ｍｍのプラスチック板である。
【００４９】
次に、図６のフローシートを主に参照して、本発明の実施例１に係るフレキシブルコンテナバッグ１０への充填物の充填方法を説明する。
まず、現場において、作業者が、外袋２０を保持する平面視して正方形状の型枠（図示せず）に外袋２０を収納する(ステップ１０１)。型枠は、４枚の木製パネルを角筒状にボルト連結したものである。その内部空間のサイズは、縦横１，５００ｍｍ、高さ５００ｍｍである。
次に、この型枠に被せるように投入部１５を裏返し、バッグ本体１４の開口を広げる(ステップ１０２)。
その後、災害で発生した可燃物・不燃物をユンボを用いて、投入部１５の投入口１６からフレコンバッグ１０の中に順次投入し、バッグ本体１４への可燃物・不燃物の充填完了後、その表面を平らにならす（ステップ１０３）。
【００５０】
次に、作業者がこの裏返った投入部１５を元に戻し、その後、投入口１６を第１の線ファスナ１７によって封止する(ステップ１０４)。次いで、この投入部１５を、対峙する２つの三角片部１５ａが上下に重なるように折り畳む（ステップ１０５、図７参照）。ここで、上側に配された三角片片部１５ａの頂上部を、短尺な引きロープ３７の一端部に連結されたクリップ３８により挟み、それから引きロープ３７を引っぱり、引きロープ３７の他端部を外袋２０の上縁の一辺の中間部に固定された連結用紐リング３９に縛り付ける。これにより、投入口１６の折り畳み状態を堅固に保持することができる。
【００５１】
次いで、この折り畳まれた投入部１５の上にトップシート２４を載置し、その後、作業者が４枚のフラップ布３２を内折りする（ステップ１０６、図８参照）。その際の折り順は、まず両端部の表面に小判な雌型面ファスナ３４が縫着された２枚のフラップ布３２を先に内折りし、次に残り２枚のフラップ布３２を内折りする。これにより、後折りした２枚のフラップ布３２の両端部（この部分に配された雄型面ファスナ３３）が、表面側の小判な雌型面ファスナ３４を介して、しっかりと掛止される。その結果、この小判な雌型面ファスナ３４が配設されていない場合に懸念される、後折り側のフラップ布３２の両端部分からの剥がれや、この剥がれ部分を通しての災害で発生した不燃物・可燃物の漏出などを防止することができる。
このように、トップシート２４の上から４枚のフラップ布３２を内折りすることで、トップシート２４の雌型面ファスナ２３と各フラップ布３２の雄型面ファスナ３３とが重なり合って、封止状態で折り畳んだ投入部１５に被せられたトップシート２４を、外袋２０の開口部に堅固に掛止することができる。
【００５２】
その後、外袋２０の開口に外蓋布２１を配置して、吊りベルト１９の４本の吊り部１８を、対応するベルト通し用スリットＳに通す(ステップ１０７)。
その後、作業者が第２の線ファスナ２２を利用し、外袋２０の開口を外蓋布２１により封止する(ステップ１０８、図９参照)。
その後は、作業者がフォークリフト車の近接配置した２本のフォークに、隣り合う２本の吊り部１８を離間した状態（４点吊りの状態）で引っ掛け、操縦者の操縦により、両フォークを上方移動させてフレコンバッグ１０を型枠から吊り上げた後、これをトラックの荷台に積み込む。または、ユンボのバケットに４本の吊り部１８を一括して引っ掛け、これらを一点吊りした状態でトラックの荷台に積み込む。
【００５３】
このように、バッグ本体１４を外袋２０により被覆し、投入部１５を外蓋布２１によって覆うように構成したため、周辺環境の物体との衝突等を原因としたバッグ本体１４の破損を防止することができる。しかも、仮にバッグ本体１４が破損したり、第１の線ファスナ１７による投入口１６の封止状態が一部解除された場合であっても、バッグ本体１４から零れた災害で発生した不燃物・可燃物は外袋２０の中に留まる。そのため、災害で発生した不燃物・可燃物の外部露出または袋外への落下を防ぐことができる。
また、外蓋布２１の各コーナー部分にベルト通し用スリットＳを形成し、各ベルト通し用スリットＳに、対応する吊り部１８を通すように構成したため、フレコンバッグ１０の見掛け上の吊り位置がフレコンバッグ１０の中央部へ移動する。これにより、バッグ吊り上げ時（特に１点吊り時）に各吊り部１８の吊り角度が小さくなり、その結果、吊り部１８の吊り角度と張力との関係を示す張力係数が小さくなって各吊り部１８の張力が低下する。一例を挙げれば、この吊り角度が６０°から３０°に低下すれば、張力係数は１．１６から１．０４に低下する。
【００５４】
４本吊りの場合、吊り部１８にかかる張力は、以下の式で求められる。
張力＝質量／４×９．８×張力係数
ここでの質量は、充填物（災害で発生した不燃物・可燃物）が充填されたフレコンバッグ１０の質量をいう。
【００５５】
したがって、見かけ上の各吊り点をバッグ中央部へ移動させることで、バッグ吊り上げ時、特に１点吊り時において、各吊り部１８をバッグ中央部へ引き寄せる力は弱まる。そのため、バッグ本体１４に充填された災害で発生した不燃物・可燃物は、従来に比べてバッグ中央部へ移動する量が減り、フレコンバッグ１０の上面の膨出が抑えられる。
しかも、このように各ベルト通し用スリットＳに各吊り部１８を通すように構成したため、従来はアーチ状の吊り部１８の（左右）一対の基端部が胴部１２に縫着される箇所に集中していたバッグ１０の吊り荷重が、各吊り部１８の基端部が接触した外蓋布２１のコーナー部の一部分、および、ベルト通し用スリットＳの形成部分などに分散される。その結果、吊り部１８の胴部１２からの外れや破袋を防止することができる。
【００５６】
さらには、各ベルト通し用スリットＳの長さ方向を、胴部１２の対応するコーナー部分に配された吊り点Ｐ１，Ｐ２間を結ぶ（仮想の）直線ａの長さ方向に揃えたため、バッグ吊り上げ時、それらのベルト通し用スリットＳが対応する直線ａに揃っていない場合に比べて、吊り部１８の一対の基端部分（縫着部に近い部分）の押し当てにより生じるスリットＳの過剰な（歪な）広がりを抑制することができる。これにより、バッグ吊り上げ時のベルト通し用スリットＳの裂けや伸びといった損傷を防止できるとともに、仮に災害で発生した不燃物・可燃物が外袋２０の中に零れたとしても、その災害で発生した不燃物・可燃物がベルト通し用スリットＳからバッグ外へ零れ落ちるおそれは少ない。
【００５７】
また、投入口封止手段として、投入部１５の投入口１６を塞ぐ第１の線ファスナ１７を採用し、また外袋封止手段として、外蓋布２１を外袋２０の開口に掛止する第２の線ファスナ２２を採用したため、投入部１５の投入口１６と外袋２０の開口とを簡単かつ確実に封止または封止解除することができる。
さらには、平坦な天板３６をトップシート２４の中央部に着脱自在に取り付けたため、バッグ吊り上げ時、災害で発生した不燃物・可燃物がバッグ中央部へ強制的に移動させられて発生するバッグ上面の膨出現象を、さらに抑制することができる。なお、トップシート２４は、天板３６をポケット３５から抜き取って使用してもよい。
【００５８】
さらにまた、裏地胴部１２Ａを介して胴部１２の内面には、胴部１２の各コーナー部分を除き、この胴部１２の周方向の全域にわたって、環状の保形ベルト２８を縫着したため、保形ベルト２８が胴部１２の内張りとなり、バッグ本体１４に投入された災害で発生した不燃物・可燃物による胴部１２の変形を抑制することができる。しかも、このように保形ベルト２８が、各コーナー部分で（裏地胴部１２Ａを介して）胴部１２の内面に縫着されていないため、対応するコーナー部分において、保形ベルト２８は、災害で発生した不燃物・可燃物の内圧を低減するための隔壁として機能する。
【産業上の利用可能性】
【００５９】
本発明のフレキシブルコンテナバッグおよびそれへの充填物の充填方法は、例えば災害で発生した不燃物・可燃物を保管、運搬する技術として有用である。
【符号の説明】
【００６０】
１０  フレキシブルコンテナバッグ
１１  側布（側面シート、表シート）
１１Ａ  側布（裏シート）
１２  胴部
１２Ａ  裏地胴部
１３  底布(底面シート、表シート)
１４  バッグ本体
１５  投入部
１６  投入口
１７  第１の線ファスナ（投入口封止手段）
１８  吊り部
１９  吊りベルト
２０  外袋
２１  外蓋布（外蓋シート）
２２  第２の線ファスナ（外袋封止手段）
２３  雌型面ファスナ（一方の面ファスナ）
２４  トップシート
２６  裏布（裏シート）
２７  発泡ポリウレタンシート（発泡合成樹脂シート）
２８  保形ベルト
３２  フラップ布(フラップシート)
３３  雄型面ファスナ(他方の面ファスナ)
３６  天板
Ｐ１，Ｐ２  吊り点
Ｓ  ベルト通し用スリット
ａ  直線
【図１】
2018058634.tif 000003
【図２】
2018058634.tif 000004
【図３】
2018058634.tif 000005
【図４】
2018058634.tif 000006
【図５】
2018058634.tif 000007
【図６】
2018058634.tif 000008
【図７】
2018058634.tif 000009
【図８】
2018058634.tif 000010
【図９】
2018058634.tif 000011